(57)【要約】【課題】返品商品に設けられた無線タグに記憶された商品情報を用いて返品登録処理を行なうことを可能とする上、返品後に無線タグの情報を書換える必要がないようにする。【解決手段】無線タグ４のメモリに、当該無線タグが設けられた商品を特定するための商品情報とともに問合せコマンドに応答するか否かを決定する応答判定情報を記憶する。そして、商品販売登録装置２から商品販売処理を示す第１のパラメータが付された問合せコマンドを受信したときには、メモリの商品情報を無線送信するとともに応答判定情報を応答しない設定に変更する。万引防止装置３から万引防止処理を示す第２のパラメータが付された問合せコマンドを受信したときには、応答判定情報が応答する設定になっている場合にメモリの商品情報を無線送信する。【選択図】    図１
2004361997.tif 000002
【特許請求の範囲】
【請求項１】
商品に設けられ、無線による問合せコマンドに応答してメモリに記憶した情報を無線送信可能な無線タグにおいて、
前記メモリに、当該無線タグが設けられた商品を特定するための商品情報とともに前記問合せコマンドに応答するか否かを決定する応答判定情報を記憶し、
所定のパラメータが付された問合せコマンドを受信すると、そのコマンドに付されたパラメータの種類を判別するパラメータ判別手段と、
このパラメータ判別手段により判別されたパラメータが商品販売処理を示す第１のパラメータであるとき、前記応答判定情報が応答する設定になっている場合に前記メモリの商品情報を無線送信するとともに前記応答判定情報を応答しない設定に変更する販売モード処理手段と、
前記パラメータ判別手段により判別されたパラメータが万引防止処理を示す第２のパラメータであるとき、前記応答判定情報が応答する設定になっている場合に前記メモリの商品情報を無線送信する万引防止モード処理手段と、
を具備したことを特徴とする無線タグ。
【請求項２】
前記パラメータ判別手段により判別されたパラメータが商品返品処理を示す第３のパラメータであるとき、前記応答判定情報が応答しない設定になっている場合に前記メモリの商品情報を無線送信するとともに前記応答判定情報を応答する設定に変更する返品モード処理手段、をさらに具備したことを特徴とする請求項１記載の無線タグ。
【請求項３】
各商品に、それぞれ無線による問合せコマンドに応答してメモリに記憶した情報を無線送信可能な無線タグを設けるとともに、前記無線タグから読取った情報に基づいて商品販売データを処理する商品販売登録装置及び万引警報を発する万引防止装置を備えてなる商品登録処理システムにおいて、
前記商品販売登録装置は、前記無線タグに対して商品販売処理を示す第１のパラメータを付した問合せコマンドを送信する手段を有し、
前記万引防止装置は、前記無線タグに対して万引防止処理を示す第２のパラメータを付した問合せコマンドを送信する手段を有し、
前記無線タグは、そのメモリに当該無線タグが設けられた商品を特定するための商品情報とともに前記問合せコマンドに応答するか否かを決定する応答判定情報を記憶し、前記問合せコマンドを受信するとそのコマンドに付されたパラメータを判別し、前記第１のパラメータであるときには前記応答判定情報が応答する設定になっている場合に前記メモリの商品情報を無線送信するとともに前記応答判定情報を応答しない設定に変更し、前記第２のパラメータであるときには前記応答判定情報が応答する設定になっている場合に前記メモリの商品情報を無線送信することを特徴とする無線タグを用いた商品登録処理システム。
【請求項４】
前記商品販売登録装置は、前記無線タグに対して商品返品処理を示す第３のパラメータを付した問合せコマンドを送信する手段、をさらに有し、
前記無線タグは、前記問合せコマンドに付されたパラメータが前記第３のパラメータであるとき、前記応答判定情報が応答しない設定になっている場合に前記メモリの商品情報を無線送信するとともに前記応答判定情報を応答する設定に変更することを特徴とする請求項３記載の無線タグを用いた商品登録処理システム。
【発明の詳細な説明】
【０００１】
【発明の属する技術分野】
本発明は、各商品にそれぞれ設けられ、その商品を特定する商品コード等の商品情報を記憶した無線タグ及びこの無線タグを用いて商品登録処理を行なうとともに万引防止も図るようにした商品登録処理システムに関する。
【０００２】
【従来の技術】
従来のこの種の商品登録処理システムとしては、無線タグから商品情報の応答を受けるとその商品情報に基づいて客買上商品の販売データを登録処理するとともに、この客買上商品に付された無線タグのメモリに記憶された商品情報を商品情報以外の情報に書換える手段を有した商品販売登録装置と、無線タグから商品情報の応答を受けると万引警報を発する万引防止装置とを備えたものが知られていた（例えば、特許文献１参照）。
【０００３】
【特許文献１】
特開２０００−３０１５０
【０００４】
【発明が解決しようとする課題】
しかしながら従来は、各商品に設けられた無線タグの商品情報が、その商品の販売データが商品販売登録装置に登録された時点で商品情報以外の情報に書換えられていたので、商品販売データの登録処理後に客から返品された場合にその返品商品に設けられた無線タグの商品情報を利用して返品登録処理を行なうことができなかった。また、返品された商品は瑕疵がなければ再び売場にて販売されるが、その場合には無線タグの情報を商品情報に戻さなければならない手間があった。
【０００５】
本発明はこのような事情に基づいてなされたもので、その目的とするところは、販売データ登録後に返品された場合でも返品商品に設けられた無線タグに記憶された商品情報を用いて返品登録処理を行なうことが可能である上、返品後に無線タグの情報を書換える必要がなく、即時販売状態にすることができる商品登録処理システム及びこのシステムに用いられる無線タグを提供しようとするものである。
【０００６】
【課題を解決するための手段】
本発明の無線タグは、商品に設けられ、無線による問合せコマンドに応答してメモリに記憶した情報を無線送信可能な無線タグであって、メモリに、当該無線タグが設けられた商品を特定するための商品情報とともに問合せコマンドに応答するか否かを決定する応答判定情報を記憶する。そして、所定のパラメータが付された問合せコマンドを受信すると、そのコマンドに付されたパラメータの種類を判別し、商品販売処理を示す第１のパラメータであるときには、応答判定情報が応答する設定になっている場合にメモリの商品情報を無線送信するとともに応答判定情報を応答しない設定に変更し、万引防止処理を示す第２のパラメータであるときには、応答判定情報が応答する設定になっている場合にメモリの商品情報を無線送信するようにしたものである。
【０００７】
本発明の商品登録処理システムは、上記無線タグを各商品にそれぞれ設けるとともに、この無線タグから読取った情報に基づいて商品販売データを処理する商品販売登録装置に、無線タグに対して商品販売処理を示す第１のパラメータを付した問合せコマンドを送信する手段を設ける。また、同じく無線タグから読取った情報に基づいて万引警報を発する万引防止装置に、無線タグに対して万引防止処理を示す第２のパラメータを付した問合せコマンドを送信する手段を設けたものである。
【０００８】
【発明の実施の形態】
以下、本発明の一実施の形態を図面を用いて説明する。
図１は、本実施の形態における商品登録処理システムの全体構成を概略的に示したもので、１は各商品を示し、２は商品販売登録装置を示し、３は万引防止装置を示している。
【０００９】
各商品１に、それぞれ無線タグ４を設けている。無線タグ４は、各商品１の表面に貼り付けたり埋め込んだりして、各商品１と一体的に設けている。
【００１０】
商品販売登録装置２は、ＰＯＳ（Ｐｏｉｎｔ  Ｏｆ  Ｓａｌｅｓ）端末５と無線タグリーダ６とから構成している。ＰＯＳ端末５と無線タグリーダ６は、店舗の会計場（レジ）にそれぞれ設置しており、お互いを通信回線で接続している。無線タグリーダ６は、会計場に持ち込まれた１客の買上商品全品からそれぞれ無線タグ４の情報を非接触で一斉に読取ることができるものである。ＰＯＳ端末５は、無線タグリーダ６によって読取られた各無線タグ４の情報に基づいて１客の買上商品全品の販売データを登録処理するものである。
【００１１】
万引防止装置３は、万引警報装置７と無線タグリーダ８とから構成している。万引警報装置７と無線タグリーダ８は、店舗の出口ゲート近傍に設置しており、お互いを通信回線で接続している。なお、万引警報装置７は、出口ゲート近傍でなく、会計場や店舗事務所等に設置してもよい。無線タグリーダ８は、店舗の出口ゲートを通過しようとする客が未会計の商品を所持している場合にその未会計の商品から無線タグ４の情報を読取ることができるものである。万引警報装置７は、無線タグリーダ８によって無線タグ４の商品情報が読取られると、万引が発生したことを示すブザー音、いわゆる万引警報を発するものである。なお、万引警報はブザー音に限らず、例えば警報ランプの点灯，点滅等であってもよい。
【００１２】
図２は、無線タグリーダ６，８と無線タグ４との要部構成を示すブロック図であり、無線タグリーダ６，８は同一構成であるので、共通部分に共通符号を付して説明を簡略する。
【００１３】
無線タグリーダ６，８は、アンテナ１１とタグリーダ本体１２とからなる。タグリーダ本体１２は、上位機（無線タグリーダ６の場合はＰＯＳ端末５、無線タグリーダ８の場合は万引警報装置７）とのインタフェース部１３、ＣＰＵ，ＲＯＭ，ＲＡＭ等で構成される制御部１４、無線タグ４への送信データ（例えば問合せコマンドＣＭ）を変調する変調部１５、変調電波を増幅してアンテナ１１から放射させる送信アンプ１６、アンテナ１１で受信した電波を増幅する受信アンプ１７及び増幅された受信電波を復調する復調部１８等で構成している。
【００１４】
無線タグ４は、送受信可能なタグアンテナ４１とＬＳＩチップ４２とを基板に一体成形した独立の部品である。タグアンテナ４１は、矩形状に成形されたループコイル等からなる。ＬＳＩチップ４２は、タグアンテナ４１で受信した変調電波の整流と安定化を行なうことによりＬＳＩチップ４２の各部に電源を供給する電源生成部４３、上記変調電波を復調して制御部４６へ送出する復調部４４、制御部４６から送出されたデータを変調してタグアンテナ４１に送出する変調部４５、復調部４４で復調されたデータが問合せコマンドＣＭであるとき、メモリ４７に記憶した情報を読み出し応答データＤＡとして変調部４５へ送出する制御部４６及びメモリ４７等で構成している。メモリ４７は、当該無線タグ４の製造段階で製造業者により設定された固有の無線ＩＤ（以下、ＲＦＩＤと称する）を記憶する無線ＩＤエリア４７ａと、ユーザが任意のデータを書込むことができるユーザエリア４７ｂとからなる。各商品１にそれぞれ設けられた各無線タグ４のユーザエリア４７ｂには、そのタグが設けられた商品１を特定するための商品情報である商品コードとともに、問合せコマンドＣＭに応答するか否かを決定する応答判定情報としての応答フラグＦ（本実施の形態では“０”のとき「応答する」、“１”のとき「応答しない」とする）を記憶している。
【００１５】
かかる構成により、無線タグリーダ６，８は、インタフェース１３に接続された上位機の制御により所定の問合せコードに任意のパラメータを付加した問合せコマンドＣＭを電波に変調してアンテナ１１から発信する。一方、無線タグ４は、タグアンテナ４１で問合せコマンドＣＭの電波を受信すると、電源生成部４３から各部に電源が供給されて制御部４６が作用し、メモリ４７の情報が読取られる。そして、ＲＦＩＤと商品コードとからなる応答データが変調部４５で無線送信に適した形態に変調された後、タグアンテナ４１から電波として発信される。この電波は、問合せコマンドＣＭを発信した無線タグリーダ６，８のアンテナ１１でほぼ確実に受信され、タグリーダ本体１２を介して上位機に送られるようになっている。
【００１６】
図３は、無線タグリーダ６の上位機として作用するＰＯＳ端末５の要部構成を示すブロック図である。ＰＯＳ端末５は、制御部本体を構成するＣＰＵ５１、プログラム等の固定的データを予め記憶したＲＯＭ５２、各商品の販売データ等が登録されるＲＡＭ５３、現日時を計時する時計部５４、通信回線を介してホストコンピュータ（不図示）が接続されるホストインタフェース５５、通信回線を介して無線タグリーダ６が接続される無線タグリーダインタフェース５６、モードスイッチ５７からモード信号を入力し、ドロワ５８に駆動信号を出力するＩ／Ｏポート５９、キーボード６０を制御するキーボードコントローラ６１、オペレータ用表示器６２を制御する表示コントローラ６３、客用表示器６４を制御する表示コントローラ６５、レシート印字等を行なうためのプリンタ６６を制御するプリンタコントローラ６７等を備えている。ＣＰＵ５１と、ＲＯＭ５２，ＲＡＭ５３，時計部５４，ホストインタフェース５５，無線タグリーダインタフェース５６，Ｉ／Ｏポート５９及び各種入出力機器のコントローラとは、アドレスバス，データバス等のバスライン６８で接続している。
【００１７】
モードスイッチ５７は、図４に示すように、「登録」，「−登録」，「点検」，「精算」，「設定」等の各種業務モードを選択するためのスイッチで、選択されている業務モードに対応したモード信号がＩ／Ｏポート５９に入力されるようになっている。
【００１８】
因みに、「登録」とは、客買上商品の販売データをＲＡＭ５３に登録処理する業務のモードである。「−登録」とは、返品商品の販売データをＲＡＭ５３に登録処理する業務のモードである。「点検」とは、「登録」モードにおいて登録処理されたデータから「−登録」モードにおいて登録処理されたデータを減算し、その結果を売上点検レポートとして出力する業務のモードである。「精算」とは、点検業務と同様に登録処理されたデータの集計結果を売上精算レポートとして出力した後、ＲＡＭ５３の登録データをクリアする業務のモードである。「設定」とは、登録，点検，精算等の各種業務を実行する上で必要なデータを予めＲＡＭ５３に設定する業務のモードである。
【００１９】
キーボード６０には、数値を入力するための置数キーや、１商取引の登録締めを宣言する締めキー等の他、無線タグリーダ６に対して無線タグ４のデータ読取りを指令するためのタグ読取りキー６９を設けている。
【００２０】
図５は、無線タグリーダ８の上位機として機能する万引警報装置７の要部構成を示すブロック図である。万引警報装置７は、ＣＰＵ７１，ＲＯＭ７２及びＲＡＭ７３の他、万引警報を発するブザー７４に駆動信号を出力するＩ／Ｏポート７５、操作部７６を制御する操作部コントローラ７７、通信回線を介して無線タグリーダ８が接続される無線タグリーダインタフェース７８等を備えている。ＣＰＵ７１と、ＲＯＭ７２，ＲＡＭ７３，Ｉ／Ｏポート７５，操作部コントローラ７７及び無線タグリーダインタフェース７８とは、アドレスバス，データバス等のバスライン７９で接続している。
操作部７６には、図示しないが、当該万引警報装置７の電源オン，オフを切換える電源ボタンや、万引警報を停止させる取消ボタン等が設けられている。
【００２１】
図６は万引警報装置７のＣＰＵ７１が実行する電源オン処理の要部を示す流れ図である。すなわちＣＰＵ７１は、電源ボタンの電源オン操作により電源が投入されると、ＲＡＭ７３をクリアする等の初期化処理を行なった後（ＳＴ１）、パラメータを“３”とする問合せコマンドＣＭを無線タグリーダインタフェース７８に接続された無線タグリーダ８に繰り返し送信する（ＳＴ２）。
【００２２】
これにより、無線タグリーダ８のアンテナ１１からはパラメータを“３”とする問合せコマンドＣＭの電波が繰り返し発信されるので、ＣＰＵ７１は、無線タグ４からの応答データＤＡを受信するのを待機する。そして、無線タグリーダ８を介して応答データＤＡを受信したならば（ＳＴ３）、ＣＰＵ７１は、その応答データＤＡに商品コードが存在するかどうか確認する（ＳＴ４）。
【００２３】
ここで、商品コードが存在する場合には、未会計の商品１が出口ゲートを通過しようとしているので、Ｉ／Ｏポート７５から駆動信号を出力してブザー７４を動作させることにより、万引警報を発生させる（ＳＴ５）。この万引警報は取消ボタンが操作されるまで継続される。そして、操作部７６の取消ボタンが操作されたならば（ＳＴ６）、Ｉ／Ｏポート７５から出力していた駆動信号を止めて、万引警報を停止させる（ＳＴ７）。しかる後、再びパラメータを“３”とする問合せコマンドＣＭを無線タグリーダ８に繰り返し送信して、無線タグ４からの応答データＤＡを待機するものとなっている。
【００２４】
なお、無線タグ４からの応答データに商品コードが存在しない場合には、その応答を無視して、パラメータを“３”とする問合せコマンドＣＭの送信を継続するものとなっている。
【００２５】
図７は、ＰＯＳ端末５のＣＰＵ５１が実行するタグ読取りキー処理の要部を示す流れ図である。すなわちＣＰＵ５１は、キーボード６０に設けられたタグ読取りキー６９が操作されると（ＳＴ１）、モードスイッチ５７によって選択されている業務モードを判別する（ＳＴ２）。ここで、「登録」モード及び「−登録」モード以外の業務モードが選択されていた場合には、ＣＰＵ５１は、タグ読取りキー６９の操作をエラーとする。
【００２６】
「登録」モードが選択されていた場合には、ＣＰＵ５１は、パラメータを“１”とする問合せコマンドＣＭを無線タグリーダインタフェース５６に接続された無線タグリーダ６に送信する（ＳＴ１３）。
【００２７】
これにより、無線タグリーダ６のアンテナ１１からはパラメータを“１”とする問合せコマンドＣＭの電波が一定時間発信されるので、ＣＰＵ５１は、無線タグ４からの応答データＤＡを受信するのを待機する。そして、無線タグリーダ６を介して応答データＤＡを受信したならば（ＳＴ１４）、ＣＰＵ５１は、その応答データＤＡに商品コードが存在するかどうか確認する（ＳＴ１５）。ここで、商品コードが存在する場合には、その商品コードに基づいて商品販売登録処理を実行する（ＳＴ１６）。
【００２８】
すなわちＣＰＵ５１は、商品コードに対応してプリセットされている商品名や単価を読出し、単価を販売金額とし、“１”を販売点数とする商品販売データを取得する。そして、この商品販売データを商品コード別にＲＡＭ５３に登録処理する。また、商品名や販売金額等をオペレータ用表示器６２及び客用表示器６４に表示させる。なお、無線タグ４からの応答データに商品コードが存在しない場合には、その応答を無視する。
【００２９】
ＣＰＵ５１は、無線タグ４から商品コードが存在する応答データＤＡを受信する毎に、上記商品販売登録処理を実行する。そして、問合せコマンドＣＭの電波が発信される一定時間が経過して、読取り終了と判断すると（ＳＴ１７）、ＣＰＵ５１は、この処理を終了するものとなっている。
【００３０】
一方、「登録」モードでなく「−登録」モードが選択されていた場合には、ＣＰＵ５１は、パラメータを“２”とする問合せコマンドＣＭを無線タグリーダインタフェース５６に接続された無線タグリーダ６に送信する（ＳＴ１８）。
【００３１】
これにより、無線タグリーダ６のアンテナ１１からはパラメータを“２”とする問合せコマンドＣＭの電波が一定時間発信されるので、ＣＰＵ５１は、無線タグ４からの応答データＤＡを受信するのを待機する。そして、無線タグリーダ６を介して応答データＤＡを受信したならば（ＳＴ１９）、ＣＰＵ５１は、その応答データＤＡに商品コードが存在するかどうか確認する（ＳＴ２０）。ここで、商品コードが存在する場合には、その商品コードに基づいて商品返品登録処理を実行する（ＳＴ２１）。
【００３２】
すなわちＣＰＵ５１は、商品コードに対応してプリセットされている商品名や単価を読出し、単価を返品金額とし、“１”を返品点数とする商品返品データを取得する。そして、この商品返品データを商品コード別にＲＡＭ５３に登録処理する。また、商品名や返品金額等をオペレータ用表示器６２及び客用表示器６４に表示させる。なお、無線タグ４からの応答データに商品コードが存在しない場合には、その応答を無視する。
【００３３】
ＣＰＵ５１は、無線タグ４から商品コードが存在する応答データＤＡを受信する毎に、上記商品返品登録処理を実行する。そして、問合せコマンドＣＭの電波が発信される一定時間が経過して、読取り終了と判断すると（ＳＴ２２）、ＣＰＵ５１は、この処理を終了するものとなっている。
【００３４】
図８は、無線タグ４の制御部４６が実行する問合せコマンド受信処理の要部を示す流れ図である。すなわち制御部４６は、復調部４４にて復調された受信データが問合せコードを含む問合せコマンドＣＭであるとき（ＳＴ３１）、その問合せコマンド３１に付加されたパラメータの種類を判別する（ＳＴ３２：パラメータ判別手段）。
【００３５】
ここで、パラメータがＰＯＳ端末５の「登録」モード時に出力される問合せコマンドＣＭのパラメータ“１”（第１のパラメータ）であった場合には、制御部４６は、メモリ４７に記憶されているＲＦＩＤと商品コード及び応答フラグＦを読み出して、応答フラグＦが“０”にリセットされているか否かを判断する（ＳＴ３３）。
【００３６】
そして、応答フラグＦが“０”にリセットされていた場合には、メモリ４７の応答フラグＦを“１”に変更した後（ＳＴ３４）、商品コード応答処理を実行する（ＳＴ３５）。すなわち、メモリ４７から読み出したＲＦＩＤと商品コードとから応答データＤＡを作成し、変調部４５を介してタグアンテナ４１より電波として発信させる（販売モード処理手段）。これに対し、応答フラグＦが“１”にセットされていた場合には、ＳＴ３４，ＳＴ３５の処理を行なわない。すなわち、商品コードを応答しない。
【００３７】
パラメータがＰＯＳ端末の「−登録」モード時に出力される問合せコマンドＣＭのパラメータ“２”（第３のパラメータ）であった場合には、制御部４６は、メモリ４７に記憶されているＲＦＩＤと商品コード及び応答フラグＦを読み出して、応答フラグＦが“１”にセットされているか否かを判断する（ＳＴ３６）。
【００３８】
ここで、応答フラグＦが“１”にセットされていた場合には、メモリ４７の応答フラグＦを“０”に変更した後（ＳＴ３７）、商品コード応答処理を実行する（ＳＴ３８）。すなわち、メモリ４７から読み出したＲＦＩＤと商品コードとから応答データＤＡを作成し、変調部４５を介してタグアンテナ４１より電波として発信させる（返品モード処理手段）。これに対し、応答フラグＦが“０”にリセットされていた場合には、ＳＴ３７，ＳＴ３８の処理を行なわない。すなわち、商品コードを応答しない。
【００３９】
パラメータが万引防止装置３から出力される問合せコマンドＣＭのパラメータ“３”（第２のパラメータ）であった場合には、制御部４６は、メモリ４７に記憶されているＲＦＩＤと商品コード及び応答フラグＦを読み出して、応答フラグＦが“０”にリセットされているか否かを判断する（ＳＴ３９）。
【００４０】
そして、応答フラグＦが“０”にリセットされていた場合には、商品コード応答処理を実行する（ＳＴ４０）。すなわち、メモリ４７から読み出したＲＦＩＤと商品コードとから応答データＤＡを作成し、変調部４５を介してタグアンテナ４１より電波として発信させる（万引防止モード処理手段）。これに対し、応答フラグＦが“１”にセットされていた場合には、ＳＴ４０の処理を行なわない。すなわち、商品コードを応答しない。
【００４１】
このように本実施の形態においては、各商品１にそれぞれ無線タグ４を設けている。一方、この無線タグ４から読取った情報に基づいて商品販売データを処理する商品販売登録装置２に、ＰＯＳ端末５の「登録」モード時にタグ読取りキー６９が操作されると、無線タグ４に対して商品販売処理を示す第１のパラメータ（“１”）を付した問合せコマンドＣＭを送信する機能と、「−登録」モード時にタグ読取りキー６９が操作されると、無線タグ４に対して商品返品処理を示す第３のパラメータ（“２”）を付した問合せコマンドＣＭを送信する機能とを設けている。また、無線タグ４から読取った情報に基づいて万引警報を発する万引防止装置３に、無線タグに対して万引防止処理を示す第２のパラメータ（“３”）を付した問合せコマンドＣＭを送信する機能を設けている。
【００４２】
しかして、無線タグ４は、そのメモリ４７に、当該無線タグ４が設けられた商品１を特定するための商品コードとともに問合せコマンドに応答するか否かを決定する応答フラグＦを記憶している。そして、上記問合せコマンドＣＭを受信すると、そのコマンドに付されたパラメータの種類を判別し、パラメータが第１のパラメータ（“１”）であるときには、応答フラグＦが応答する設定になっている場合にメモリ４７の商品コードを無線送信するとともにその応答フラグＦを応答しない設定に変更するようにしている。
【００４３】
したがって、会計場に１客の買上商品全品が持ち込まれた状態で、ＰＯＳ端末５のオペレータが「登録」モードにおいてタグ読取りキー６９を操作すると、買上商品全品にそれぞれ設けられた各無線タグ４の商品コードが無線タグリーダ６を介してＰＯＳ端末５に読込まれて、各商品の販売データが登録処理される。このとき、各商品にそれぞれ設けられた各無線タグ４の応答フラグは、応答する設定から応答しない設定に変更される。
【００４４】
また、無線タグ４は、問合せコマンドに付されたパラメータが第２のパラメータ（“３”）であるときには、応答フラグＦが応答する設定になっている場合にメモリ４７の商品コードを無線送信するものとなっている。
【００４５】
したがって、会計済の商品１に設けられた無線タグ４の応答フラグは応答しない設定に変更されているので、当該商品１を所持した客が出口ゲートを通過しようとしても、万引警報は発せられない。ところが、未会計の商品１を所持した客が出口ゲートを通過しようとした場合には、当該商品１に設けられた無線タグ４の応答フラグは応答する設定になっているので、当該無線タグ４の商品コードが無線タグリーダ８を介して万引警報装置７に読取られ、万引警報が発せられる。その結果、未会計の商品１を店外に持ち出そうとする万引を未然に防止することができる。
【００４６】
また、無線タグ４は、問合せコマンドに付されたパラメータが第３のパラメータ（“２”）であるときには、応答フラグＦが応答しない設定になっている場合にメモリ４７の商品コードを無線送信するとともにその応答フラグＦを応答する設定に戻すものとなっている。
【００４７】
したがって、客から販売登録処理済商品の返品の申し出を受けると、ＰＯＳ端末５のオペレータは「−登録」モードにおいてタグ読取りキー６９を操作する。そうすると、その返品商品に設けられた無線タグ４の商品コードが無線タグリーダ６を介してＰＯＳ端末５に読込まれて、その商品の返品データが登録処理される。このとき、その商品に設けられた各無線タグ４の応答フラグは、応答しない設定から応答する設定に変更される。かくして、当該無線タグ４のメモリ４７に記憶されている情報は、販売登録処理前の状態に復帰するので、返品された商品を即時、販売状態に戻すことができる。
【００４８】
このように本実施の形態によれば、商品販売データの登録処理後に返品された場合でも、その返品商品に設けられた無線タグ４に記憶された商品コードを用いて返品登録処理を行なうことができる。しかも、返品後に無線タグ４の情報を書換える必要がなく、販売状態に即時戻すことができる効果をも奏し得る。
【００４９】
また、前記実施の形態では、無線タグ４は、問合せコマンドＣＭに付加されたパラメータが第１のパラメータ“１”であるとき、応答フラグが応答する設定になっている場合にメモリ４７の商品コードを無線送信するとともに応答フラグを応答しない設定に変更するようにしている。したがって、第１のパラメータ“１”が付加された問合せコマンドＣＭを受信し、それに応じて商品コードを応答した後は、たとえ第１のパラメータ“１”が付加された問合せコマンドＣＭを受信しても商品コードを応答しないので、商品販売登録装置２は、同一商品に設けられた１つの無線タグ４から商品コードの応答を重複して受信することがない。よって、商品コードの応答を重複して受信したときに一方を破棄する処理ステップを商品販売登録装置２に組み込む必要がなくなるので、商品販売登録装置２の処理ステップを簡略化できる利点もある。
【００５０】
なお、この発明は、上記実施形態そのままに限定されるものではなく、実施段階ではその要旨を逸脱しない範囲で構成要素を変形して具体化できる。
【００５１】
例えば、前記実施の形態では、無線タグ４が記憶する応答判定情報を応答フラグＦとして説明したが、フラグ以外のデータを用いて応答判定情報としてもよい。また、問合せコマンドＣＭに付加されるパラメータを、第１のパラメータを“１”とし、第２のパラメータを“３”とし、第３のパラメータを“２”としたが、パラメータの値（情報）がこれに限定されないのは言うまでもないことである。
【００５２】
また、前記実施の形態では、商品販売処理を示す第１のパラメータを送信する機器と、商品返品処理を示す第３のパラメータを送信する機器をいずれも商品販売登録装置２として説明したが、別々の装置としてもよい。
この他、本発明の要旨を逸脱しない範囲で種々変形実施可能であるのは勿論である。
【００５３】
【発明の効果】
以上詳述したように本発明によれば、販売データ登録後に返品された場合でも返品商品に設けられた無線タグに記憶された商品情報を用いて返品登録処理を行なうことが可能である上、返品後に無線タグの情報を書換える必要がなく、即時販売状態にすることができる商品登録処理システム及びこのシステムに用いられる無線タグを提供できる。
【図面の簡単な説明】
【図１】本発明の一実施の形態における商品登録処理システムの全体構成を示す概略図。
【図２】同実施の形態における無線タグリーダと無線タグとの要部構成を示すブロック図。
【図３】同実施の形態におけるＰＯＳ端末の要部構成を示すブロック図。
【図４】同実施の形態におけるＰＯＳ端末が有するモードスイッチを示す模式図。
【図５】同実施の形態における万引警報装置の要部構成を示すブロック図。
【図６】同実施の形態における万引警報装置のＣＰＵが実行する電源オン処理の要部を示す流れ図。
【図７】同実施の形態におけるＰＯＳ端末のＣＰＵが実行するタグ読取りキー入力処理の要部を示す流れ図。
【図８】同実施の形態における無線タグの制御部が実行する主要な処理を示す流れ図。
【符号の説明】
１…商品、２…商品販売登録装置、３…万引防止装置、４…無線タグ、５…ＰＯＳ端末、６，８…無線タグリーダ、７…万引警報装置。
【図１】
2004361997.tif 000003
【図２】
2004361997.tif 000004
【図３】
2004361997.tif 000005
【図４】
2004361997.tif 000006
【図５】
2004361997.tif 000007
【図６】
2004361997.tif 000008
【図７】
2004361997.tif 000009
【図８】
2004361997.tif 000010